(57)【特許請求の範囲】
【請求項１】
本体（２）に、ピン部（５ａ）と板部（５ｂ）とからなる４つの端子（５）を、円周方向に略等間隔に、かつ、上記板部（５ｂ）を外側に位置するように設け、上記本体（２）に、上記端子（５）を覆うと共に、周方向の１ヶ所に開口（７）を有するケース（６）を着脱可能に取りつけた電源ターミナル構造において、
上記４つの端子（５）は、旗型端子（１６）及びリード線（１５）が、このリード線（１５）が上記旗型端子（１６）に対して上記円周の同一回りの方向を向くように接続される端子（５）であり、
上記ケースの開口（７）は、上記リード線（１５）を外部に引き出すための開口（７）であり、
対向する上記２つの端子（５）を結ぶ線（５１）が、上記ケース（６）の開口（７）を含む平面に対して斜めに交わることを特徴とする電源ターミナル構造。
【請求項２】
請求項１による電源ターミナル構造において、上記対向する２つの端子（５）を結ぶ線（５１）が、上記開口（７）を含める平面に対して略４５°で交わることを特徴とする電源ターミナル構造。
【請求項３】
冷媒を圧縮する圧縮部と、この圧縮部を駆動するモータとをケーシング（１１）に内装した圧縮機において、
上記圧縮機のケーシング（１１）に、
本体（２）に、ピン部（５ａ）と板部（５ｂ）とからなる４つの端子（５）を、円周方向に略等間隔に、かつ、上記板部（５ｂ）を外側に位置するように設け、上記本体（２）に、上記端子（５）を覆うと共に、周方向の１ヶ所に開口（７）を有するケース（６）を着脱可能に取りつけた電源ターミナル構造を設け、上記４つの端子（５）は、旗型端子（１６）及びリード線（１５）が、このリード線（１５）が上記旗型端子（１６）に対して上記円周の同一回りの方向を向くように接続される端子（５）であり、上記ケースの開口（７）は、上記リード線（１５）を外部に引き出すための開口（７）であり、この電源ターミナル構造を、対向する上記２つの端子（５）を結ぶ線（５１）が、上記ケース（６）の開口（７）を含む平面に対して斜めに交わらせるように構成すると共に、上記開口（７）を下方に向けて配置したことを特徴とする圧縮機。
【発明の詳細な説明】
【０００１】
【発明の属する技術分野】
この発明は、電源ターミナル構造と、それを備えた圧縮機に関する。
【０００２】
【従来の技術】
従来、冷凍機の圧縮機の電源ターミナル構造としては、図４に示すようなものがある。この電源ターミナル構造１０１は、冷凍機の冷媒を圧縮する圧縮部と、この圧縮部を駆動する３相モータとを内部に密封してなる圧縮機のケーシングに取り付けられていて、電源ターミナル本体１０２に、上記３相モータに接続する３本の端子１０３，１０３，１０３を固定してなる。この端子１０３は、ピン部１０３ａと板部１０３ｂとからなる。この端子１０３の板部１０３ｂに、一端にリード線１０５を固定した扁平スリーブ形状の旗型端子１０６を嵌合して、上記端子１０３とリード線１０５とを接続している。上記旗型端子１０６は、上記リード線１０５に直角に固定されていて、上記リード線１０５から見て右側の扁平な面にスリット状の切欠きを備え、この切欠きを上記端子１０３のピン部１０３ａに向けて板部１０３ｂに嵌合する。上記リード線１０５，１０５，１０５は図示しない電源回路に接続していて、上記３相モータに電源を供給している。この電源ターミナル構造１０１は、上記本体１０２および端子１０３，１０３，１０３，１０３の周囲を覆うケース１０７を備え、このケース１０７の下側に設けた開口１０８から、上記リード線１０５，１０５，１０５を電源ターミナル構造の外側に引き出している。
【０００３】
図５は、３相ブラシレスモータを備える圧縮機に設けられた電源ターミナル構造１１０を示した図である。この電源ターミナル構造１１０は、３相ブラシレスモータの回転子の位相を検出するセンサに接続する端子をさらに備えて、４個の端子１１１，１１１，１１１，１１１を有する。この端子１１１，１１１，１１１，１１１は、電源ターミナル本体１１２の中心の周りに等間隔に、かつ、上記端子１１１の板部１１１ｂを外側に向けて配置している。この端子１１１も図４に示した端子１０３と同様に、ピン部１１１ａと板部１１１ｂとからなり、この板部１１１ｂに、リード線１１４に接続された旗型端子１１５を嵌合して、上記端子１１１とリード線１１４とを接続している。この電源ターミナル構造１１０もまた、電源ターミナル本体１１２の周囲を覆うケース１１７を備え、このケース１１７の下側の開口１１８から上記リード線１１４，１１４，１１４，１１４を電源ターミナル構造１１０の外側に引き出している。なお、上記端子１１１，１１１，１１１，１１１は、図５において上下方向に対向する２個の端子１１１，１１１を結ぶ線が、ケース１１７の開口１１８を含む平面に対して直角に交わるように配置されている。
【０００４】
【発明が解決しようとする課題】
しかしながら、上記従来の電源ターミナル構造１１０は、上記端子１１１の板部１１１ｂに嵌合する旗型端子１１５は、切欠きがリード線１１４から見て右側の扁平面に設けられたタイプしか規格されていない。また、図５において最も右側の端子１１１は、この端子１１１が備える板部１１１ｂは右側に位置すると共に、上記ケース１１７の開口１１８を含む平面に対して直角に交わるように配置されている。この端子１１１に上記旗型端子１１５を接続すると、端子１１１とリード線１１４との固定部分が端子１１１の上側に位置する。したがって、このリード線１１４を上記ケース１１７の開口１１８から引き出すためには、上記リード線１１４を端子１１１の上方で略１８０度曲げて上記開口１１８側に向ける必要がある。その結果、この屈曲部でリード線１１４が断線しやすいという問題がある。また、上記屈曲部でリード線１１４の被覆が破れて、リード線１１４が接続する回路が短絡する場合があるという問題もある。さらに、上記リード線１１４を略１８０度曲げるので、リード線１１４の取り回しをする作業が面倒であるという問題がある。
【０００５】
そこで、この発明の目的は、端子に接続したリード線を、大きく屈曲させることなくカバーの開口から引き出せる電源ターミナル構造を提供することにある。
【０００６】
【課題を解決するための手段】
上記目的を達成するため、請求項１の発明の電源ターミナル構造は、本体に、ピン部と板部とからなる４つの端子を、円周方向に略等間隔に、かつ、上記板部を外側に位置するように設け、上記本体に、上記端子を覆うと共に、周方向の１ヶ所に開口を有するケースを着脱可能に取りつけた電源ターミナル構造において、
上記４つの端子は、旗型端子及びリード線が、このリード線が上記旗型端子に対して上記円周の同一回りの方向を向くように接続される端子であり、
上記ケースの開口は、上記リード線を外部に引き出すための開口であり、
対向する上記２つの端子を結ぶ線が、上記ケースの開口を含む平面に対して斜めに交わることを特徴としている。
【０００７】
請求項１の電源ターミナル構造によれば、ピン部と板部とからなる端子を円周方向に略等間隔に、かつ上記板部を外側に位置するように配置する。さらに、対向する上記２つの端子を結ぶ線が、上記ケースの開口を含む平面に対して斜めに交わるように、上記端子を本体に配置する。そうすると、上記端子の板部が上記ケースの開口を含む平面に対して斜め方向に向く。この端子の板部に、リード線の端部に固定された旗型端子を嵌合すると、上記リード線は上記ケースの開口を含む平面に対して斜め方向に向く。したがって、上記リード線を、上記ケースの開口から引き出すために、大きく曲げなくてよい。その結果、上記リード線の断線や短絡が防止される。また、上記リード線を大きく曲げなくてもよいので、リード線の取り回しが容易になる。
【０００８】
請求項２の発明の電源ターミナル構造は、請求項１による電源ターミナル構造において、上記対向する２つの端子を結ぶ線が、上記開口を含める平面に対して略４５°で交わることを特徴としている。
【０００９】
請求項２の電源ターミナル構造によれば、対向する２つの端子を結ぶ線が、上記開口を含める平面に対して略４５°で交わるように、端子が本体に配置されているので、この端子に上記旗型端子を接続すると、上記旗型端子から導かれるリード線も上記開口を含める平面に対して略４５°をなす。したがって、上記リード線の屈曲を小さくできる。
【００１０】
請求項３の発明の圧縮機は、冷媒を圧縮する圧縮部と、この圧縮部を駆動するモータとをケーシングに内装した圧縮機において、
上記圧縮機のケーシングに、
本体に、ピン部と板部とからなる４つの端子を、円周方向に略等間隔に、かつ、上記板部を外側に位置するように設け、上記本体に、上記端子を覆うと共に、周方向の１ヶ所に開口を有するケースを着脱可能に取りつけた電源ターミナル構造を設け、上記４つの端子は、旗型端子及びリード線が、このリード線が上記旗型端子に対して上記円周の同一回りの方向を向くように接続される端子であり、上記ケースの開口は、上記リード線を外部に引き出すための開口であり、この電源ターミナル構造を、対向する上記２つの端子を結ぶ線が、上記ケースの開口を含む平面に対して斜めに交わらせるように構成すると共に、上記開口を下方に向けて配置したことを特徴としている。
【００１１】
請求項３の圧縮機によれば、この圧縮機が備える電源ターミナル構造において、上記端子に旗型端子を接続すると、旗型端子のリード線を上記ケースの開口から引き出すために、上記リード線を大きく曲げなくてよいので、上記リード線の断線や短絡が防止される。また、上記ケースの開口は、下方を向くように配置されているので、ケースの中にゴミや水滴等が入り難く、上記端子がゴミや水滴によって短絡することが殆どない。したがって、この電源ターミナル構造を備えた圧縮機は、断線や短絡によるトラブルが防止されて、性能が安定して、かつ、安全になる。
【００１２】
【発明の実施の形態】
以下、この発明を図示の実施の形態により詳細に説明する。
【００１３】
図１は電源ターミナル構造１を示す正面図である。この電源ターミナル構造１は、略円形の電源ターミナル本体２に、４個の端子５，５，５，５を、上記本体２の同心円の円周上に等間隔に配置している。この端子５は、上記本体２から突出するピン部５ａと、このピン部５ａの周面に固定された板部５ｂとからなり、上記端子５，５，５，５が配置された円周の外側に上記板部５ｂを向けて配置されている。上記本体２の周囲には、上記端子５，５，５，５を覆うケース６が取り付けられていて、このケース６の図１において下側面には開口７が設けられている。なお、上記端子５，５，５，５は、向い合う２個の端子５，５の間に引いた直線５１，５１が、上記開口７を含む面に平行な直線５２に対して略４５度の角度αをなすように配置されている。すなわち、上記端子の板部５ｂは、上記開口７を含む面に対して略４５度の角度をなしている。
【００１４】
この電源ターミナル構造１は、図２の断面図に示すように、圧縮機のケーシング１１に取り付けられる。さらに、上記電源ターミナル構造１は、本体２のケーシング１１の内側部分に、上記端子５に接続して上記ケーシング１１の内側に突出する内側端子１２を備える。この内側端子１２を、上記ケーシング１１の中に配置された図示しない圧縮部を駆動する図示しないモータに接続すると共に、上記端子５を図示しない電源回路および制御回路に接続して、上記モータを制御可能に駆動する。
【００１５】
上記構成の電源ターミナル構造１において、上記端子５，５，５，５に、上記電源回路および制御回路に接続されたリード線１５，１５，１５，１５を接続する。このリード線１５の端部には、図３の斜視図に示すような旗型端子１６を固定している。この旗型端子１６は、図３において上端にリード線１５の導線を旗型端子１６に直角をなして接続していて、上記リード線１５との接続部の下方が、扁平のスリーブ形状をなすスリーブ部１７になっている。このスリーブ部１７には、ストライプ状の切欠き１７ａが設けられていて、この切欠き１７ａを上記端子５のピン部５ａに向けて、上記スリーブ部１７を板部５ｂに嵌合するようになっている。すなわち、上記スリーブ部１７の切欠き１７ａが、上記端子５のピン部５ａと板部５ｂとの接続部分に嵌合するようになっている。上記旗型端子１６を、図１に示すように円周上に配置された端子５，５，５，５に接続する。そうすると、この端子５，５，５，５の板部５ｂ，５ｂ，５ｂ，５ｂは上記円周の外側を向いて、さらに、端子５，５，５，５は向い合う２個の端子５，５がケース６開口７を含む面に略４５度の角度αをなして配置されているので、旗型端子１６，１６，１６，１６もまた、上記開口７を含む面に略４５度の角度をなす。すなわち、上記リード線１５，１５，１５，１５もまた、上記開口７を含む面に略４５度の角度をなすと共に、上記旗型端子１６，１６，１６，１６との固定部分が、上記旗型端子１６，１６，１６，１６において上記円周の反時計回り側に配置される。したがって、このリード線１５，１５，１５，１５を、電源ターミナル構造１の外側に引き出すために、上記ケース６の開口７に向って取り回しても、上記リード線１５，１５，１５，１５は大きく屈曲しない。その結果、このリード線１５，１５，１５，１５の断線や短絡を回避できる。また、上記リード線１５，１５，１５，１５を大きく曲げる必要がないので、上記取り回しの作業が容易になる。
【００１６】
上記端子５，５，５，５は、向い合う２個の上記端子５，５の間を結ぶ線５１が、上記ケース６の開口７を含む面に平行な直線５２に対して略４５度の角度αをなすように配置したが、この角度は４５度に限られず、６０度等でもよい。要は、上記向い合う２個の端子５，５の間を結ぶ線５１が、上記ケース６の開口７を含む面に対して傾いて、上記端子５に接続する旗型端子１６のリード線が大きく屈曲しなければよい。
【００１７】
【発明の効果】
以上より明らかなように、請求項１の発明の電源ターミナル構造によれば、ピン部と板部とからなる４つの端子を、円周方向に略等間隔に、かつ、上記板部を外側に位置するように配置し、上記４つの端子は、旗型端子及びリード線が、このリード線が上記旗型端子に対して上記円周の同一回りの方向を向くように接続される端子であり、上記ケースの開口は、上記リード線を外部に引き出すための開口であり、さらに、対向する上記２つの端子を結ぶ線が、上記ケースの開口を含む平面に対して斜めに交わるように上記本体に配置したので、上記旗型端子に接続したリード線は、上記ケースの開口を含む平面に対して斜め方向に向き、したがって、上記リード線を上記ケースの開口から引き出すように取り回しても、リード線は大きな屈曲をしないので、リード線の断線や、リード線が接続する回路の短絡を防止でき、また、リード線の取り回しが容易になる。
【００１８】
請求項２の発明の電源ターミナル構造によれば、上記対向する２つの端子を結ぶ線が、上記開口を含める平面に対して略４５°で交わるように上記端子を配置するので、上記リード線の屈曲を小さくできる。
【００１９】
請求項３の発明の圧縮機によれば、この圧縮機が備える電源ターミナル構造において、ピン部と板部とからなる４つの端子を、円周方向に略等間隔に、かつ、上記板部を外側に位置するように配置し、上記４つの端子は、旗型端子及びリード線が、このリード線が上記旗型端子に対して上記円周の同一回りの方向を向くように接続される端子であり、上記ケースの開口は、上記リード線を外部に引き出すための開口であり、さらに、対向する上記２つの端子を結ぶ線が、上記ケースの開口を含む平面に対して斜めに交わるように上記本体に配置したと共に、上記開口を下方を向けて配置したので、上記端子に接続した旗型端子のリード線の断線や短絡を防止できると共に、ケースの中にゴミや水滴等が入ることを防止できて、この電源ターミナル構造を備えた圧縮機の性能を安定、かつ、安全にできる。
【図面の簡単な説明】
【図１】  この発明の実施形態の電源ターミナル構造を示す正面図である。
【図２】  冷凍機の圧縮機に図１の電源ターミナル構造を設置した様子を示す断面図である。
【図３】  図１の電源ターミナル構造の端子に接続する旗型端子を示す斜視図である。
【図４】  従来の電源ターミナル構造を示す正面図である。
【図５】  従来の電源ターミナル構造を示す正面図である。
【符号の説明】
１  電源ターミナル構造
２  電源ターミナル構造本体
５  端子
５ａ  端子のピン部
５ｂ  端子の板部
６  ケース
７  ケースの開口
１５  リード線
１６  旗型端子
５１  向い合う端子５，５の間を結ぶ線
５２  ケース６の開口７を含む面に平行な線
【図１】
0003731109.tif 000002
【図２】
0003731109.tif 000003
【図３】
0003731109.tif 000004
【図４】
0003731109.tif 000005
【図５】
0003731109.tif 000006